(57)【要約】【課題】  より複雑な動きを演出でき様々な状況に対応可能なジョイント型のルアーを提供する。【解決手段】  このルアーのルアー前体１では、その後端面に、上下方向に並んで複数の突起７が後方に突出してこれら突起７の間に複数のスリット部分が形成されている。複数の突起７のそれぞれには上下方向に貫通する貫通孔が設けられている。他方、ルアー後体２は、任意のスリット部分に頭端を挿入可能なように前方向に突出し且つこの頭端をスリット部分に挿入した状態でその貫通孔に合致するように孔が頭端に形成されたコネクタ１１を前側端面に有している。そして、コネクタ１１を任意のスリット部分に挿入した状態で、突起７の貫通孔及びコネクタ１１の孔に止めピン８を貫通させて、ルアー前体１とルアー後体２とが連結されている。【選択図】      図１
2005218314.tif 000002
【特許請求の範囲】
【請求項１】
後端面に上下方向に並んだ複数の連結部を有するルアー前体と、
前記複数の連結部の中の任意の１つの連結部と脱着自在に連結可能なコネクタを前端面に有し、前記コネクタにより前記ルアー前体の後方に左右方向（幅方向）に揺動自在に連結されているルアー後体と、を備えたルアー。
【請求項２】
前記ルアー前体の後方端面には上下方向に並んで複数の突起が後方に突出してこれら突起の間に複数のスリット部分が形成され、前記複数の突起のそれぞれには上下方向に貫通する貫通孔が設けられており、この複数のスリット部分が前記連結部であり、
前記ルアー後体は、前記スリット部分に頭端を挿入可能なように前方向に突出し且つこの頭端を前記スリット部分に挿入した状態で前記貫通孔に合致するように孔が頭端に形成されたコネクタを前側端面に有し、
前記コネクタを前記スリット部分に挿入した状態で、前記突起の貫通孔及び前記コネクタの孔を挿通する止めピンをさらに備えている、請求項１に記載のルアー。
【請求項３】
前端面に上下方向に並んだ複数の連結部を有するルアー後体と、
前記複数の連結部の中の任意の１つの連結部と脱着自在に連結可能なコネクタを後端面に有し、前記コネクタにより前記ルアー後体の前方に左右方向（幅方向）に揺動自在に連結されているルアー前体と、を備えたルアー。
【請求項４】
前記ルアー後体の前方端面には上下方向に並んで複数の突起が前方に突出してこれら突起の間に複数のスリット部分が形成され、前記複数の突起のそれぞれには上下方向に貫通する貫通孔が設けられており、この複数のスリット部分が前記連結部であり、
前記ルアー前体は、前記スリット部分に頭端を挿入可能なように後方向に突出し且つこの頭端を前記スリット部分に挿入した状態で前記貫通孔に合致するように孔が頭端に形成されたコネクタを後側端面に有し、
前記コネクタを前記スリット部分に挿入した状態で、前記突起の貫通孔及び前記コネクタの孔を挿通する止めピンをさらに備えている、請求項３に記載のルアー。
【請求項５】
後端面に上下方向に並んだ複数の前連結部を有するルアー前体と、
前端面に上下方向に並んだ複数の後連結部を有するルアー後体と、
前記複数の前連結部の中の任意の１つの前連結部と、前記複数の後連結部の中の任意の１つの後連結部と着脱自在に連結するコネクタとを備え、
前記コネクタにより前記ルアー前体の後方に前記ルアー後体が左右方向（幅方向）に揺動自在に連結されている、ルアー。
【発明の詳細な説明】
【技術分野】
【０００１】
本発明は魚釣りに用いるルアー、特に、二つのルアー本体を連結してなる「ジョイント型」と呼ばれるルアーに関する。
【背景技術】
【０００２】
従来のルアーには、外形を魚の頭部乃至腹部に似せて形成された合成樹脂製のルアー前体と、外形を魚の腹部乃至尾部に似せて形成された合成樹脂製のルアー後体とを有し、これらをフック状の連結部材で連結した「ジョイント型」と呼ばれるルアーがある。
【０００３】
このジョイント型のルアー前体は、頭部端に釣糸を係止するための釣糸係止部を有し、腹部付近には釣針を連結するための釣針連結部を有し、腹部内には鉛やタングステン等からなる錘が配置されている。また、ルアー後体は尾部後端に釣針を連結するための釣針連結部が設けられている。そして、釣針連結部・釣糸係止部にそれぞれ釣針・釣糸を係止した上で水中にキャスティングされ、リール操作等によって水中で魚のように泳動して魚をおびき寄せる。特に、このタイプのルアーは、ルアー前体とルアー後体とが別体として個々に動くので、魚の興味を強く引き立てることができるとされている。
【０００４】
近時は、このようなジョイント型のルアーにおいても、さらに改良が進められ様々な工夫が施されている。例えば、ある１つの提案では、旧来のジョイント型ルアーはルアー前体とルアー後体との連結部分が一カ所に留まり、両者の間に捻れが生じる点に問題があるとし、２カ所の連結部分でルアー前体とルアー後体とを連結する。そして、ルアー本体の形状を特徴付けてルアーの泳動態様を向上させている（特許文献１参照）。
【特許文献１】特開平8-154538号公報
【発明の開示】
【発明が解決しようとする課題】
【０００５】
このように様々な改良が施されたジョイント型ルアーが提供されているが、旧来のジョイント型ルアーは、ルアー前体とルアー後体との位置関係乃至連結状態は固定されていた。例えば、上述の特許文献１に示すようなルアーにおいても、２カ所の連結部分はルアー前体とルアー後体との相互の位置関係をより安定化させるために設けたものである。
【０００６】
しかし、ジョイント型ルアーは、２つの別個のパーツを連結させて複雑な動きを醸し出すことを目的とするものである。とすれば、２つのパーツの連結態様や相互の位置関係を変化させることで、より複雑な動きを演出し、状況に応じて魚の興味を引き立て得ることも可能となり得る。
【０００７】
本発明はこのような見地に基づくものであり、より複雑な動きを演出でき様々な状況に対応可能なジョイント型のルアーを提供するものである。
【課題を解決するための手段】
【０００８】
本発明のルアーの１つは、後端面に上下方向に並んだ複数の連結部を有するルアー前体と、複数の連結部の中の任意の１つの連結部と脱着自在に連結可能なコネクタを前端面に有し、コネクタによりルアー前体の後方に左右方向（幅方向）に揺動自在に連結されているルアー後体とを備える。
【０００９】
このルアーでは、ルアー前体の後端面の複数の連結部の中の任意の連結部が選択され、この選択された連結部にルアー後体のコネクタが連結される。上下方向に並んだ複数の連結部の中で上方の連結部を選択すると、水中でのルアー全体の安定性が低くなりイレギュラーな動きを醸し出しやすい。他方、下方の連結部を選択すると、水中でのルアー全体の安定性が大きくなり、比較的早い速度で釣糸をリールに巻き上げて水中でルアーを泳動させても、安定した泳動姿勢をルアーが採りやすくなる。このように、状況に応じて、連結部を選択して様々な動きをルアーに付与することが可能となる。
【００１０】
例えば、このようなルアーのルアー前体の後方端面には、上下方向に並んで複数の突起が後方に突出してこれら突起の間に複数のスリット部分が形成される。そして、この複数の突起のそれぞれには上下方向に貫通する貫通孔が設けられており、この複数のスリット部分を連結部とする。また、ルアー後体は、スリット部分に頭端を挿入可能なように前方向に突出し且つこの頭端をスリット部分に挿入した状態で貫通孔に合致するように孔が頭端に形成されたコネクタを前側端面に有するものとする。そして、コネクタをスリット部分に挿入した状態で、突起の貫通孔及びコネクタの孔を挿通する止めピンを用意する。
【００１１】
このようなルアーでは、ルアー前体とルアー後体との連結は以下のようにして行われる。即ち、任意のスリット部分にコネクタを差し込み、貫通孔と孔とを合わせて止めピンを差し込む。解除及び別のスリット部分へのコネクタの連結は逆の手順による。
【００１２】
また、本発明の別のルアーは、上述のルアーとは逆にルアー後体側に複数の連結部を形成したものである。このようなルアーも上述のルアーと同様に用い得る。
【００１３】
即ち、このルアーは、前端面に上下方向に並んだ複数の連結部を有するルアー後体と、複数の連結部の中の任意の１つの連結部と脱着自在に連結可能なコネクタを後端面に有し、コネクタによりルアー後体の前方に左右方向（幅方向）に揺動自在に連結されているルアー前体とを備えるものである。
【００１４】
このようなルアーとしては、例えば、ルアー後体の前方端面には上下方向に並んで複数の突起が前方に突出してこれら突起の間に複数のスリット部分を形成してもよい。ここでは複数の突起のそれぞれには上下方向に貫通する貫通孔が設けられており、この複数のスリット部分が連結部である。他方、ルアー前体は、スリット部分に頭端を挿入可能なように後方向に突出し且つこの頭端をスリット部分に挿入した状態で貫通孔に合致するように孔が頭端に形成されたコネクタを後側端面に有するものとする。そして、コネクタをスリット部分に挿入した状態で、突起の貫通孔及びコネクタの孔を挿通する止めピンをさらに備えるものとする。
【００１５】
本発明のさらに別のルアーは、後端面に上下方向に並んだ複数の前連結部を有するルアー前体と、前端面に上下方向に並んだ複数の後連結部を有するルアー後体と、複数の前連結部の中の任意の１つの前連結部と、複数の後連結部の中の任意の１つの後連結部と着脱自在に連結するコネクタとを備えるものである。そして、コネクタによりルアー前体の後方にルアー後体が左右方向（幅方向）に揺動自在に連結されている。
【００１６】
このルアーでは、ルアー前体とルアー後体のそれぞれの複数の連結部を選択することで、ルアー前体とルアー後体との連結態様の組み合わせ方がさらに多様化している。
【発明の効果】
【００１７】
本発明に係るルアーでは、複数の連結部の中から任意の連結部を選択し、ルアー前体とルアー後体との連結態様を変更できる。これにより、複雑な動きを演出でき様々な状況に対応可能である。
【発明を実施するための最良の形態】
【００１８】
［第１実施形態］
このルアーは、図１に示すように、外形を魚の頭部乃至腹部に似せて形成したルアー前体１と、ルアー前体１の尾部側に連結された外形を魚の腹部乃至尾部に似せて形成したルアー後体２とからなる。これらのルアー前体１とルアー後体１の周面には、魚の目や鰓，鱗などの模様が描かれている。
【００１９】
ルアー前体１は、左右一対の半割部材を開口面側で貼り合わせて形成される合成樹脂製部材であり、頭部側端部に設けられた釣糸を係止するための釣糸係止部３と、頭部下面に斜め下方に向けて突出したリップ部４と、腹部付近に設けられた釣針を連結するためのアイ５とを有する。この釣糸係止部３及びアイ５は半割部材の開口面の貼り合わせ部分に形成された凹状の窪み等に配置され、半割部材を接着し固定する際に共に固定されている。例えば、アイ５にはスプリットリングなどを介して釣針（図示せず）が連結される。また、リップ部４はルアー前体１の本体と一体的に形成されている。リップ部４は幅方向に広がる板状の部材であり、その先端には金属製の球状の錘６が嵌め込まれて固定されている。
【００２０】
図２及び図３に示すように、ルアー前体１の後端面は幅方向（左右方向）両側が後方に延び幅方向中央付近が前方に凹入するような形状に加工されている。後述のルアー後体２の前面の一部をこの凹入する部分に挟み込むようにして、ルアー後体２がルアー前体１の後方に連結されることになる。このルアー前体１の後端面の凹入した最も奥には、上下方向に間隔を隔てて複数の（この例では、４つの）略円盤状の突起７が、上下方向に並んで後方側に突出するように形成されている（図４も参照）。それぞれの突起７は数ミリ程度の間隔を隔てており、これらの突起７の間にスリット部分が形成される。各突起７には上下方向に貫通する貫通孔が同一軸に並んで形成されている。そして、この貫通孔には、止めピン８が着脱自在に挿入される。止めピン８は、金属若しくはプラスチック等の周知の素材から形成される。止めピン８には必要に応じてつまみ部分などを設けても良い。
【００２１】
なお、必要に応じて、ルアー前体１の内部には錘を収納する。ルアー全体としての錘の量は、ルアー前体１及びルアー後体２とが全体として水面付近に漂う程度の浮力を有するように設定する。
【００２２】
図１に示すように、ルアー後体２も、左右一対の半割部材を開口面側で貼り合わせて形成される合成樹脂製の部材である。腹部側に設けられた釣針を連結するためのアイ９を有しており、その構造は上述のルアー前体１と同様である。なお、ルアー後体２の後面もまた、幅方向両側が後方に延び幅方向中央付近が前方に凹入するような形状に加工されている。そして、このような凹入した部分の間に幅方向に軸を掛け渡し、２枚の金属板１０をこの軸にぶら下げている。この金属板１０は水中で尾ビレのように水流を受け、ルアーの動きを演出する。
【００２３】
このルアー後体２の前側端面は幅方向中央付近が前側に突出しており、上述のルアー前体１の後端面の凹入した部分に収納されるようになっている。このルアー後体２の前側端面には、図３及び図４に示すように、コネクタ１１が前側に突出するように設けられている。コネクタ１１は、前述のルアー前体１の突起７の間のスリット部分に頭端を挿入可能な薄板型の金属若しくは合成樹脂製部材である。この頭端をスリット部分に挿入した状態で突起７の貫通孔に合致するような孔が、コネクタ１１の頭端にも形成されている。
【００２４】
このようなルアー前体１とルアー後体２とから構成されるルアーの使用態様を模式的に図５に示す。まず、ルアー前体１の突起７の上方の２つの間のスリット部分を利用した場合を図５（ａ）に示す。ルアー前体１の複数の突起７の最も上方のスリット部分にコネクタ１１を差し込み、止めピン８を突起７及びコネクタ１１に差し込んで、ルアー前体１とルアー後体２とを連結する。次に、ルアー前体１の突起７の上下方向の中央の２つの間のスリット部分を利用した場合を図５（ｂ）に示す。スリット部分にコネクタ１１を差し込み、止めピン８で、ルアー前体１とルアー後体２とを連結する。最後に、ルアー前体１複数の突起７の下方の２つの間のスリット部分を利用した場合を図５（ｃ）に示す。この場合も、当該スリット部分にコネクタ１１を差し込み、止めピン８で、ルアー前体１とルアー後体２とを連結する。
【００２５】
以上のように、ルアー前体１のスリット部分を任意に選択し、コネクタ１１を差し込み、止めピン８でルアー前体１とルアー後体２とを様々な態様で連結して、このルアーは利用される。これにより、複雑な動きを演出でき様々な状況に対応可能となる。
【００２６】
［第２実施形態］
図６に、本発明の別のルアーを示す。このルアーも、上記第１実施形態と同様に、外形を魚の頭部乃至腹部に似せて形成したルアー前体２１と、ルアー前体２１の尾部側に連結された外形を魚の腹部乃至尾部に似せて形成したルアー後体２２とからなる。このルアー前体２１に設けられる、釣糸係止部２３やリップ２４，アイ２５等についても上記第１実施形態に準じるものである。
【００２７】
ルアー前体２１の後端面も、上記第１実施形態と同様に、幅方向（左右方向）両側が後方に延び幅方向中央付近が前方に凹入するような形状に加工されている。このルアー前体２１の後端面の凹入した最も奥には、上下方向にパイプ体２７が形成されている。パイプ体２７は上下方向に離れた２カ所においてパイプの側面が切り取られて後方に向かって開口するスリット部分が形成されている。そして、このパイプ体２７には、止めピン２８が着脱自在に挿入される。
【００２８】
ルアー後体２２に設けられているアイ２９も上記第１実施形態に準じる。このルアーでは、ルアー後体２２の後端にアイ２９が取り付けられており、上記実施形態１のような金属板は取り付けられていない。
【００２９】
このルアー後体２２の前側端面は幅方向中央付近が前側に突出しており、上述のルアー前体２１の後端面の凹入した部分に収納されるようになっている。このルアー後体２２の前側端面には、上述のルアー前体２１の後端面と同様のパイプ体２７が上下方向に形成されている。このルアー後体２のパイプ体２７も、上下方向に離れた２カ所において、ルアー前体１のパイプ体２７と上下方向の位置を同じくして側面が切り取られて前方に向かって開口しており、ここがスリット部分となっている。そして、このパイプ体２７にも止めピン２８が着脱自在に挿入される。
【００３０】
図７にこのルアーに用いるコネクタ３０を示す。コネクタ３０は金属等からなる薄板型の部材であり、パイプ体２７のスリット部分に長手方向両端をそれぞれ挿入可能なものである。長手方向両端には孔が形成されている。
【００３１】
このルアーでは、ルアー前体２１とルアー後体２２のそれぞれのパイプ体２７のスリット部分を任意に選択し、コネクタ３０をスリット部分に挿入し、止めピン２８で、ルアー前体２１とルアー後体２２とを任意の態様で連結する。例えば、図６に於いては、ルアー前体２１のパイプ体２７の下側のスリットと、ルアー後体２２のパイプ体２７の下側のスリットとを選択し、コネクタ３０で連結した状態が示されている。このように下方側でルアー前体２１とルアー後体２２とを連結すれば、両者の連結が安定したものとなる。
【００３２】
なお、この実施形態ではスリット部分をそれぞれのパイプ体２７に２カ所ずつ設けているが、その数は任意に設定可能である。また、ルアー前体２１のパイプ体２７とルアー後体２２のパイプ体２７とでスリット部分の上下方向位置を不均一にしても、イレギュラーなルアーの動きを演出し易くなる。
【００３３】
［第３実施形態］
図８に、さらに本発明の別のルアーを示す。このルアーは、上記第２実施形態と同様に、外形を魚の頭部乃至腹部に似せて形成したルアー前体３１と、ルアー前体３１の尾部側に連結された外形を魚の腹部乃至尾部に似せて形成したルアー後体３２とからなる。ルアー前体３１及びルアー後体３２に取り付けられる各部位は上記第２実施形態に準じる。
【００３４】
ルアー前体３１の後端面には、上下方向に離れてそれぞれ後方に突出する２つのリング４０が取り付けられている。このリング４０は、水平方向に配置されリングの穴は上下方向に貫通する。例えば、上述の各実施形態と同様に、ルアー前体３１を半割部材から形成するにあたって、半割部材の開口面の貼り合わせ部分に形成された凹状の窪み等に配置されて固定されている。他方、ルアー後体３２の前端面にも、上下方向に離れてそれぞれ前方に突出する２つのリング４１が取り付けられている。このリング４１もリング４０と同様のものである。
【００３５】
図９にこのルアーに用いるコネクタ４２を示す。コネクタ４２はコの字型の合成樹脂等の弾性を有する素材からなる。コネクタ４２の長手方向の両端にはフランジが形成されており、このフランジをその弾性を利用して上述のリング４０，４１に無理嵌めする。
【００３６】
このルアーでは、ルアー前体３１のリング４０と、ルアー後体３２のリング４１とに於いて、それぞれの上下何れかのリングを選択し、コネクタ４２でルアー前体３１とルアー後体３２とを連結して用いられる。上下いずれのリングを選択することで、水中でのルアーの泳動態様に変化を付けることができる。
【００３７】
［他の実施形態］
その他、例えば、上記の第２実施形態において採用するようなルアー前体とルアー後体とを連結するコネクタについて、図１０に示すように、長手方向の一端に複数の孔を形成するコネクタ５０を利用してもよい。この場合は、対応するパイプ体のスリットの深さを調整する必要がある。このような複数の孔の何れかを選択して止めピンでコネクタ５０をスリット内に固定することで、ルアー前体とルアー後体との距離を調整することも可能である。
【図面の簡単な説明】
【００３８】
【図１】本発明の第１実施形態に係るルアーを示した図。
【図２】図１のルアーのルアー前体１の後方視図。
【図３】図１のルアーのルアー前体１とルアー後体２との連結部分の上方視図。
【図４】図１のルアーの連結部分の参考図。
【図５】本発明のルアーの利用態様を示す模式図。
【図６】本発明の第２実施形態に係るルアーを示した図。
【図７】図６のルアーのコネクタ３０を示した図。
【図８】本発明の第３実施形態に係るルアーを示した図。
【図９】図８のルアーのコネクタ４２を示した図。
【図１０】コネクタの変形例を示した図。
【符号の説明】
【００３９】
１，２１，３１  ルアー前体
２，２２，３２  ルアー後体
７  突起
８，２８  止めピン
１１、３０，４２，５０  コネクタ
２７  パイプ体
４０，４１  リング
【図１】
2005218314.tif 000003
【図２】
2005218314.tif 000004
【図３】
2005218314.tif 000005
【図４】
2005218314.tif 000006
【図５】
2005218314.tif 000007
【図６】
2005218314.tif 000008
【図７】
2005218314.tif 000009
【図８】
2005218314.tif 000010
【図９】
2005218314.tif 000011
【図１０】
2005218314.tif 000012